(57)【要約】統合前の記録メディア単位のディレクトリファイル構成情報を、統合後の管理情報ファイルに、統合後の管理情報ファイルのデータフォーマットにおける再生制御情報に変換して記録することにより、統合前の管理情報に従った映像素材の視聴や編集、さらには他のメディアへの書き出しを可能とする。
2004047098.tif 000002
【特許請求の範囲】
【請求項１】
第１の記録媒体に統合前のディレクトリファイル構成のデータフォーマットで記録された統合前の映像データファイル及びこれに関連する管理情報データファイルを、第２の記録媒体の異なるディレクトリファイル構成のデータフォーマットに変換しながら統合する映像データファイル統合装置であって、
前記統合前の管理情報ファイル及び統合前の映像データファイルを前記統合後の管理情報ファイル及び統合後の映像データファイルに変換処理する手段を備え、
前記変換処理手段は、前記統合時に、前記統合前の記録媒体単位のディレクトリファイル構成情報を、前記統合後用の管理情報ファイルのデータフォーマットにおける再生制御情報に変換して記録することを特徴とする映像データファイル統合装置。
【請求項２】
統合前のディレクトリファイル構成のデータフォーマットで記録された統合前の映像データファイル及びこれに関連する管理情報データファイルを、異なるディレクトリファイル構成のデータフォーマットに変換しながら統合する映像データファイルの統合装置であって、
前記統合前の映像データファイル及びこれに関連する管理情報ファイルを記録する統合前用の記録媒体と、
前記統合後の映像データファイル及びこれに関連する管理情報ファイルを記録する統合後用の記録媒体と、
前記統合前用の記録媒体に対するデータの読み出し及び書き込みを行う第１の読出し／書込み手段と、
前記統合後用の記録媒体に対するデータの読み出し及び書き込みを行う第２の読出し／書込み手段と、
前記統合前用の記録媒体に記録されたデータを、前記統合後用の記録媒体で使用されるデータ形式に変換、またはその逆の変換制御を行う変換制御手段と、を有し、
前記変換制御手段は、前記統合前の管理情報ファイルを前記統合後の管理情報ファイルに変換処理し、前記統合前の映像データファイルを前記統合後の映像データファイルに変換処理して、前記統合後用の記録媒体で使用されるデータ形式で前記統合後の管理情報ファイルおよび映像データファイルに統合して記録する際に、前記データ変換前のデータ群のディレクトリとファイル構成に関する情報を、前記再生制御情報に変換して、前記統合後の管理情報ファイルに追加記録することを特徴とする映像データファイル統合装置。
【請求項３】
少なくとも１つの映像データファイル及びこれらに関連する情報を含む少なくとも１つの管理情報ファイルからなるデータ群を、前記データ群単位で複数個統合して前記データ群と異なる新たな映像データファイル及び管理情報ファイルを作成する映像データファイルの統合方法であって、前記統合前の複数のデータ群は、ある決められた同一のデータフォーマット及びディレクトリファイル構成で記録されたデータ群であり、また前記統合後の管理情報ファイルには、前記統合前のデータ群のディレクトリファイル構成情報が前記統合後の管理情報ファイルのデータフォーマットにおける再生制御情報に変換して記録されていることを特徴とする映像データファイル統合方法。
【請求項４】
統合前のディレクトリファイル構成におけるデータファイルのファイル名とディレクトリ名情報の両方またはいずれか１つが、前記統合後の管理情報ファイルのデータフォーマットにおけるテキスト情報に変換されて記録されていることを特徴とする請求項３記載の映像データファイル統合方法。
【請求項５】
前記再生制御情報は、前記再生制御情報を特定するための特定情報を有し、前記統合前のデータ群のディレクトリファイル構成情報を前記統合後の管理情報ファイルのデータフォーマットにおける再生制御情報に変換する際に、前記特定情報を変化させることを特徴とする請求項３記載の映像データファイル統合方法。
【請求項６】
特定情報とは、再生制御情報に付与されるテキスト情報であることを特徴とする請求項５記載の統合映像データファイル統合方法。
【請求項７】
特定情報とは、再生制御情報に付与されるフラグ情報であることを特徴とする請求項５記載の統合映像データファイル統合方法。
【請求項８】
少なくとも１つの映像データファイル及びこれらに関連する情報を含む少なくとも１つの管理情報ファイルからなるデータ群を前記データ群単位で複数個統合して作成された前記データ群と異なる新たな映像データファイルを再生する統合映像データファイル再生装置であって、前記統合前の複数のデータ群は、ある決められた同一のデータフォーマット及びディレクトリファイル構成で記録されたデータ群であり、また前記統合後の管理情報ファイルには前記統合前のデータ群のディレクトリファイル構成情報が前記統合後の管理情報ファイルのデータフォーマットにおける再生制御情報に変換して記録されており、
前記再生制御情報を利用して前記統合後の映像データファイルを再生することを特徴とする統合映像データファイル再生装置。
【請求項９】
統合前のディレクトリファイル構成におけるデータファイルのファイル名とディレクトリ名情報の両方またはいずれか１つが、前記統合後の管理情報ファイルのデータフォーマットにおけるテキスト情報に変換されて記録されているものを再生することを特徴とする請求項８記載の統合映像データファイル再生装置。
【請求項１０】
少なくとも１つの映像データファイル及びこれらに関連する情報を含む少なくとも１つの管理情報ファイルからなるデータ群を前記データ群単位で複数個統合して作成された前記データ群と異なる新たな映像データファイルを再生する統合映像データファイル再生方法であって、前記統合前の複数のデータ群は、ある決められた同一のデータフォーマット及びディレクトリファイル構成で記録されたデータ群であり、また前記統合後の管理情報ファイルには前記統合前のデータ群のディレクトリファイル構成情報が前記統合後の管理情報ファイルのデータフォーマットにおける再生制御情報に変換して記録されており、
前記再生制御情報を利用して前記統合後の映像データファイルを再生することを特徴とする統合映像データファイル再生方法。
【請求項１１】
統合前のディレクトリファイル構成におけるデータファイルのファイル名とディレクトリ名情報の両方またはいずれか１つが、前記統合後の管理情報ファイルのデータフォーマットにおけるテキスト情報に変換されて記録されているものを再生することを特徴とする請求項１０記載の統合映像データファイル再生方法。
【発明の詳細な説明】
【技術分野】  本発明は、映像データファイルを複数統合して作成される映像データファイルの統合装置とその方法及び統合された映像データファイルの再生装置とその方法に関するものである。
【背景技術】  従来の映像データファイルの統合方式では、例えば、特許文献１（特開２００１−２６６５４４）に開示されているものがある。この従来例では、複数の映像データを統合して異なる記録メディアに保存する際に、変換前の映像データのシナリオ情報に基づいて統合記録する側の記録メディアにフォルダ構造を作成し、その各フォルダに変換後の映像データの任意の部分を示すリンク情報をファイルとして格納し、さらにそのリンク情報に基づいて映像データのフォーマット変換を行い記録している。
上記従来例では変換前の記録メディアがテープメディアであったが、ハードディスクや光ディスクなどの大容量ディスクメディアを搭載した家庭用の据え置き型映像記録機器を使用することによって、一般家庭においても容易に大容量の映像データファイルをディスクメディアに保持することが可能となった。これらの記録メディアは従来のテープメディアと比較して高速なデータアクセス性能を有するため、映像シーンの頭だしや検索機能に優れ、さらには同時記録再生などの新たな機能によってユーザーの利便性が向上し、今後ますます普及することが予想される。
また一方では、デジタルカメラや家庭用ムービーなどの携帯用映像記録機器の記録メディアにおいても、半導体メモリ、光ディスク、ハードディスクなどを搭載した機器が実用化されている。
一般に携帯用機器の記録メディアのデータ容量は、据え置き型機器の記録メディアと比較して小容量であるため、これらの携帯用機器で収録した映像素材を、家庭内の据え置き型の機器の大容量記録メディアに集約して家庭内で視聴するという利用形態が普及すると考えられる。ただし、記録機器に映像データを記録する際のデータフォーマット及びディレクトリファイル構成は、記録メディアや記録機器により異なる場合が多いため、上記のように携帯用機器から据え置き機器にデータを集約する場合は、データフォーマット及びディレクトリファイル構成を変換する必要がある。
そこで、上記従来の映像データファイルの統合方式の第一の改善例では、例えば、携帯用機器の映像データファイル及び管理情報ファイルが記録されているディレクトリファイル構成は、１つの管理情報ディレクトリと、複数の映像データディレクトリを備える。管理情報ディレクトリには、第１の管理情報ファイルと第２の管理情報ファイルが記録されている。
また、映像データディレクトリ中には、映像データファイルが、携帯機器用データフォーマットにおけるプログラムという記録メディア内の操作単位として、プログラム単位での再生・編集等をユーザーが行うことができるものである。
上記第一の改善例における据え置き機器の映像データファイル及び管理情報ファイルが記録されているディレクトリファイル構成においては、管理情報ファイルと映像データファイルの両者は据え置き機器用のデータフォーマットで記録され、管理情報と映像データがそれぞれ１つのデータファイルにまとめられ、同一のディレクトリに存在するものである。
従って、携帯用機器のディレクトリファイル構成で記録された映像データ及びこれに関連する管理情報データを据え置き機器用のディレクトリファイル構成に変換する場合は、携帯用機器用の複数存在する映像データファイル及び管理情報ファイルを、据え置き機器用のデータフォーマットに変換しながら、それぞれ１つに統合することになる。
図１０は、上記第一の改善例において、携帯機器用の複数の映像データファイル１４１〜１４８を据え置き機器用映像データファイル２２１に統合する時の概念図である。図１０においては、携帯機器用の記録メディア“Ｃａｒｄ１”上のＰ００１．ＭＯＶからＰ００８．ＭＯＶまでの８個の映像データファイルが、据え置き機器の記録メディア上の映像データファイル２２１（Ｔ００１．ＭＯＶ）に統合されている。さらに、携帯機器用の別の記録メディア“Ｃａｒｄ２”および“Ｃａｒｄ３”上の複数の映像データファイルについても、同様に据え置き機器の記録メディア上の映像データファイル２２１に連続して追記され、統合されている。
また、図１０においては、据え置き機器用の管理情報ファイル２１１のデータフォーマットにおいて定義されているプログラム（ｐｒｏｇｒａｍ１〜ｐｒｏｇｒａｍ３）を、携帯機器用の記録メディア単位の映像データ１４１〜１４８に適応させている。このようにプログラムを定義することによって、据え置き機器において統合前の記録メディア単位での素材の視聴や編集、さらには他のメディアへの書き出しが可能となる。
【発明の開示】
しかしながら、特許文献１に開示の従来例は、複数のテープメディアの映像データをディレクトリファイル構造を有するディスクメディアに統合する技術であり、テープメディアにシーケンシャルに記録された統合前の映像データに対してシナリオ情報に基づくランダムなアクセス方法は考慮されていない。このため、統合前後の機器において、ユーザーが同じ再生動作によって映像データを視聴することは不可能である。
これに対し図１０に示す第一の改善例は、統合前後の記録メディアが供にディレクトリファイル構造を有し、任意の映像データに対してランダムアクセス可能なものである。従って、統合前後の機器においてユーザーが同じ再生動作によって映像データを視聴することは可能である。
しかしながら、図１０に示す統合の際に、複数の携帯用機器の記録メディア（Ｃａｒｄ１〜Ｃａｒｄ３）上の映像データファイルが１つの映像データファイル２２１に統合されるため、統合前の記録メディア内におけるプログラムディレクトリの構成情報（ＰＲＧ００１〜ＰＲＧ００３）が消失してしまうことになる。従ってユーザーにとっては、携帯用機器で収録した複数の記録メディアの映像素材が１つの大容量メディアにまとめられることで、メディア交換などの手間は省けるものの、収録時に意味付けられた統合前のプログラム単位での素材の視聴や編集が非常に困難になる。
さらに、据え置き機器のメディアから再び携帯用機器のメディアに書き戻す際にもプログラムディレクトリの構成情報が消失してしまうため、統合前と同じディレクトリファイル構成を実現することができない。
そこで、第二の改善例として、上記の統合により消失するプログラムディレクトリの構成情報を、独自のデータフォーマットによって別ファイルに記録して保存する方法が考えられる。これにより、大容量メディア中に統合して保存されている映像データから、統合前のプログラムディレクトリの構成情報に従って映像データを再生することが可能となる。しかしながら、この方法では、別ファイルに保存したデータのデータフォーマットが独自なものであるため、機器間の互換性において問題が生じることがあり、汎用性に欠けるといった課題があった。
そこで本発明は、上記従来の映像データファイルの統合方式が有する課題を解決するために成されたものであり、複数の記録メディア上の映像データおよび管理情報を別の記録メディアに統合する際に、統合後の映像データを再生する機器間の互換性において問題が生じることなく、また統合後のデータを再生する機器において統合前の管理情報に従った映像素材の視聴や編集、さらには他のメディアへの書き出しを可能とする映像データファイルの統合方式を提供することを目的とするものである。
上記の目的を達成するために、本発明の映像データファイル統合装置は、第１の記録媒体に統合前のディレクトリファイル構成のデータフォーマットで記録された統合前の映像データファイル及びこれに関連する管理情報データファイルを、第２の記録媒体の異なるディレクトリファイル構成のデータフォーマットに変換しながら統合する映像データファイル統合装置であって、前記統合前の管理情報ファイル及び統合前の映像データファイルを前記統合後の管理情報ファイル及び統合後の映像データファイルに変換処理する手段を備え、前記変換処理手段は、前記統合時に、前記統合前の記録媒体単位のディレクトリファイル構成情報を、前記統合後用の管理情報ファイルのデータフォーマットにおける再生制御情報に変換して記録することを特徴とする。
上記構成により、管理情報ファイルおよび映像データファイルの変換、統合動作に加えて、統合前の携帯用機器の記録メディア単位のデータ構成情報が、統合時に据え置き機器用の管理情報ファイルのデータフォーマットにおける再生制御情報に変換され記録される。
また、本発明の映像データファイル統合方法は、複数の映像データファイル及びこれらに関連する情報を含む管理情報ファイルからなるデータ群を、前記データ群単位で複数個統合して、前記データ群と異なる新たな映像データファイル及び管理情報ファイルを作成する映像データファイルの統合方法であって、前記統合前の複数のデータ群は、ある決められた同一のデータフォーマット及びディレクトリファイル構成で記録されたデータ群であり、また前記統合後の管理情報ファイルは、前記統合前のデータ群のディレクトリファイル構成情報を、前記統合後の管理情報ファイルのデータフォーマットにおける再生制御情報に変換して記録されていることを特徴とする。
本発明によれば、統合後の管理情報ファイルに統合前の複数の記録メディア単位のディレクトリファイル構成情報を、統合後の管理情報ファイルのデータフォーマットにおける再生制御情報に変換して記録する構成としたことにより、統合前の管理情報に従った映像素材の視聴や編集、さらには他のメディアへの書き出しが可能となる。
【図面の簡単な説明】  図１は、本発明の実施の形態１に係る携帯用機器の映像データファイル及び管理情報ファイルのディレクトリファイル構成の一例を示す図である。
図２は、本発明の実施の形態１に係る据え置き機器の映像データファイル及び管理情報ファイルのディレクトリファイル構成の一例を示す図である。
図３は、本発明の実施の形態１に係る統合映像データファイル統合装置のブロック図である。
図４は、本発明の実施の形態１に係る携帯用機器の映像データファイルを据え置き機器の映像データファイルに変換する場合の概念図である。
図５は、本発明の実施の形態１に係る携帯用機器の映像データファイルを据え置き機器の映像データファイルに変換する場合のフローチャートである。
図６は、本発明の実施の形態１に係る据え置き機器の映像データファイルを携帯用機器の映像データファイルに変換する場合のフローチャートである。
図７は、本発明の実施の形態１に係る据え置き機器における再生制御情報のデータ項目及びデータの一例を示す図である。
図８は、本発明の実施の形態２に係る統合映像データファイル再生装置と周辺装置の関連を示す図である。
図９は、本発明の実施の形態３に係る据え置き機器における再生制御情報のデータ項目及びデータの一例を示す図である。
図１０は、従来の改善例における携帯用機器の映像データファイルを据え置き機器の映像データファイルに変換する場合の概念図である。
【発明を実施するための最良の形態】  以下、本発明を図示の実施の形態により詳細に説明するが、従来例と同様な部分については簡単のために説明を省略するものとする。
（実施の形態１）
本実施の形態１における携帯用機器の映像データファイル及び管理情報ファイルが記録されているディレクトリファイル構成自体は従来の第一の改善例と同様であり、また、据え置き機器の映像データファイル及び管理情報ファイルが記録されているディレクトリファイル構成も従来の第一の改善例と同様である。
図１は、本発明の実施の形態１に係る携帯用機器の映像データファイル及び管理情報ファイルが記録されているディレクトリファイル構成１００の一例を示したものである。図１において、１１１は管理情報ファイルを記録する管理情報ディレクトリであり、１２１，１２２はそれぞれ管理情報ディレクトリ１１１中に記録された第１の管理情報ファイルと第２の管理情報ファイルであり、第１の管理情報ファイル１２１と第２の管理情報ファイル１２２とは異なる管理情報である。１３１、１３２及び１３３は映像データファイルを記録する映像データディレクトリ、１４１〜１４８は映像データディレクトリ１３１〜１３３中の映像データファイルである。ここで、第１の管理情報ファイル１２１と第２の管理情報ファイル１２２及び映像データファイル１４１〜１４８は携帯用機器のデータフォーマットで記録されている。
図１に示すように、携帯用機器のディレクトリファイル構成は、管理情報ファイルが記録されている１つの管理情報ディレクトリ１１１と、各々複数の映像データファイルが記録された複数の映像データディレクトリ１３１，１３２、１３３を有する。管理情報ディレクトリ１１１には、第１の管理情報ファイル１２１と第２の管理情報ファイル１２２が記録されており、第１の管理情報ファイル１２１には記録メディアのタイトルや代表画面情報など記録メディア全体に係る管理情報が記録され、一方、第２の管理情報ファイル１２２には映像データファイル１４１〜１４８の再生時間や圧縮符号化属性など映像データに関する管理情報が記録されている。
また、映像データディレクトリ１３１、１３２、１３３中には、映像データファイル１４１〜１４８がそれぞれの作成日付ごとに分けられて存在し、携帯機器用データフォーマットにおける記録メディア内の操作単位としてプログラム（ｐｒｏｇｒａｍ）単位での再生・編集等をユーザーが行うことができるものである。なお、図１に示すディレクトリファイル構成について、図１に記載されている以外のデータファイルやディレクトリが同時に存在してもかまわないものとする。
図２は、本実施の形態１における据え置き機器の映像データファイル及び管理情報ファイルが記録されているディレクトリファイル構成２００の一例を示したものである。図２において、２１１は管理情報ファイル、２２１は映像データファイルであり、両者は据え置き機器用のデータフォーマットで記録されている。図２に示す据え置き機器用のディレクトリファイル構成では、管理情報と映像データがそれぞれ１つのデータファイルにまとめられ、同一のディレクトリ２００に存在する。
従って、図１に示されたディレクトリファイル構成で記録された映像データ及びこれに関連する管理情報データを、図２に示すディレクトリファイル構成に変換する場合は、図１において複数存在する映像データファイル及び管理情報ファイルを、据え置き機器用のデータフォーマットに変換しながら、それぞれ１つに統合する。
図３は、本実施の形態１における映像データファイル統合を実現する装置の構成を説明するためのブロック図である。図３において３１１で示すメディアＡは携帯用機器においてデータ記録用に用いられる記録媒体であり、たとえばフラッシュメモリを内蔵したメモリーカード形態の記録媒体とする。これは後述する図４に示す“Ｃａｒｄ１”に相当する。
一方、３１２で示すメディアＢは据え置き機器においてデータ記録用に用いられる記録媒体であり、例えばＤＶＤ（Ｄｉｇｉｔａｌ  Ｖｅｒｓａｔｉｌｅ  Ｄｉｓｃ）−ＲＡＭディスクなどの書き換え可能なディスク形態の記録媒体とする。そしてメディアＡ３１１には図１に示した管理情報ファイル１２１、１２２および映像データファイル１４１〜１４８が図１に示したディレクトリ構成１００で記録されているものとする。また、メディアＢ３１２には、図２に示した管理情報ファイル２１１および映像データファイル２２１が、図２に示したディレクトリ構成２００で記録されるものとする。
３２１で示すＲ／Ｗ手段Ａは、メディアＡ３１１に対するデータの読み出しおよび書き込みを行う手段であり、メディアＡ３１１から読み出したデータを変換手段３３１に供給する、もしくは、変換手段３３１から供給されたデータをメディアＡ３１１に書き込む機能を有する。同様に３４１で示すＲ／Ｗ手段Ｂは、メディアＢ３１２に対するデータの読み出しおよび書き込みを行う手段であり、メディアＢ３１２から読み出したデータを変換手段３３１に供給する、もしくは、変換手段３３１から供給されたデータをメディアＢ３１２に書き込む機能を有する。
変換手段３３１は、携帯用機器においてメディアＡ３１１に記録された各種データを、据え置き機器で使用されるデータ形式に変換する、もしくはその逆の変換処理を行う手段であり、たとえばマイクロコンピュータとその内蔵プログラムによって、上記変換処理を実現するものとする。
システム制御手段３５１は、操作キー３６１を介して入力される機器使用者からの指示に応じて、Ｒ／Ｗ手段Ａ３２１、Ｒ／Ｗ手段Ｂ３４１を制御して、メディアＡ３１１、メディアＢ３１２からのデータの読み出しおよびメディアＡ３１１、メディアＢ３１２へのデータの書き込みを行なうように制御し、さらに変換手段３３１によってデータを変換する際に、携帯用機器において使用されるデータを、据え置き機器で使用されるデータ形式に変換するのか、もしくは逆に、据え置き機器において使用されるデータを、携帯用機器で使用されるデータ形式に変換するのかを、操作キー３６１の入力に基づき、変換手段３３１に指示を与える手段である。
操作キー３６１は、機器使用者がメディアＡ３１１もしくはメディアＢ３１２に記録されたデータの変換を希望し、且つ、データを変換する際に、携帯用機器において使用されるデータを、据え置き機器で使用されるデータ形式に変換するのか、もしくは逆に、据え置き機器において使用されるデータを、携帯用機器で使用されるデータ形式に変換するのかなどの指定を行うためのインターフェース手段であり、例えば、ボタンスイッチやタッチパネルなどの指示入力手段で構成される。
図４は、本実施の形態１における複数の携帯機器用映像データファイル１４１〜１４８を据え置き機器用映像データファイル２２１に統合する時の概念図であり、同時に、据え置き機器用のデータフォーマットにおける再生制御情報と映像データファイル２２１との関係について示したものである。
図４において、４１１、４１２、４１３は据え置き機器用のデータフォーマットにおいてプレイリスト（ｐｌａｙｌｉｓｔ）として管理情報ファイル２１１内に定義される再生制御情報である。
図５および図６は、本件の実施の形態１におけるデータ変換の動作を説明するためのフローチャートである。
以下、本実施の形態１における動作について図１ないし図６を参照して説明する。
図１に示したように、メディアＡ３１１には第１の管理情報ファイル１２１、第２の管理情報ファイル１２２および複数の映像データファイル１４１〜１４８が、４つのディレクトリ１１１、１３１〜１３３の下に分散して記録されているものとし、これらのデータを変換してメディアＢ３１２に記録する場合について説明する。
まず、機器使用者が操作キー３６１を操作して、メディアＡ３１１に記録されている携帯用機器において使用されるデータを、据え置き機器で使用されるデータ形式に変換し、メディアＢ３１２に記録する指示を行うことでデータの変換が開始される。
システム制御手段３５１は操作キー３６１を介した指示に従い、データの変換処理を開始するために、先ず、Ｒ／Ｗ手段Ａ３２１を制御してメディアＡ３１１から図１に示した予め規定されたディレクトリＭＧＲ１１１から第１の管理情報ファイル１２１および第２の管理情報ファイル１２２を読み出す。この読出し工程は図５のステップ５０１で示す。
そして読み出した２つの管理情報ファイル１２１，１２２を、据え置き機器で用いられる管理情報ファイル２１１の形式に変換する。この変換工程は図５のステップ５０２で示す。
さらに、データ変換前のデータ群のディレクトリとファイル構成に関する情報を、図４の４１１で示すｐｌａｙｌｉｓｔ１に相当する再生制御情報に変換して、管理情報ファイル２１１に追加する。この追加工程は図５のステップ５０３で示す。
再生制御情報が追加された管理情報ファイル２１１をＲ／Ｗ手段Ｂ３４１を介してメディアＢ３１２に記録する。この書き込み工程は図５のステップ５０４で示す。以上の動作によって、メディアＡ３１１に記録されていた２つの管理情報ファイルの変換が完了する。
引き続き映像データファイルの変換は、まず、図５のステップ５０５で示すようにメディアＡ３１１から映像データファイル１４１〜１４８を順次読み出す。次に、これを図５のステップ５０６で示すように、据え置き機器で用いられる映像データファイル２２１の形式に統合して変換する。さらに、これを図５のステップ５０７で示すようにＲ／Ｗ手段Ｂ３４１を介してメディアＢ３１２に記録する。
以上のような動作の結果、図４に示すように、実施の形態１において、携帯機器の記録メディア上の複数の映像データファイルが１つに統合される。
さらに、メディアＡ３１１を別のメディアＡに交換し、これをたとえばメディアＡ３１３とすると、この交換後のメディアＡ３１３は図４に示す“Ｃａｒｄ２”に相当する。このメディアＡ３１３に記録されたデータを統合して、メディアＢ３１２に記録する場合は、メディアＢ３１２上にすでに存在する管理情報ファイル２１１および映像データファイル２２１をＲ／Ｗ手段Ｂ３４１を介して読み出し、変換手段３３１おいて、上記と同様の動作によってメディアＡ３１３のデータを変換して、管理情報ファイル２１１および映像データファイル２２１に統合してメディアＢ３１２に記録する。この際、データ変換前のデータ群のディレクトリとファイル構成に関する情報を、今度は図４の４１２で示す第２のプレイリスト（ｐｌａｙｌｉｓｔ２）に相当する再生制御情報に変換して、管理情報ファイル２１１に追加する。
同様にまた別のメディアＡ（図１の”Ｃａｒｄ３”に相当）のデータをメディアＢ３１２に変換、統合する場合は、図４の４１３で示す第３のプレイリスト（ｐｌａｙｌｉｓｔ３）に相当する再生制御情報に変換して、管理情報ファイル２１１に追加するというように、メディアＡが交換されるたびに、別の再生制御情報を管理情報ファイル２１１に追加記録する。
このように実施の形態１においては、管理情報ファイルおよび映像データファイルの変換、統合動作に加えて、統合前の携帯用機器の記録メディア単位のデータ構成情報が、統合時に据え置き機器用の管理情報ファイルのデータフォーマットにおける再生制御情報４１１、４１２及び４１３に変換され記録される。
上記説明において、統合して記録する際に、「データ変換前のデータ群のディレクトリとファイル構成に関する情報」とは、図１に示すＭＧＲ，ＰＲＧ００１，．．．，ＰＲＧ００３のことで、携帯用機器のデータファイルフォーマットで記録されたＰＲＧ００１．．．ＰＲＧ００３等のディレクトリ構成と、そのディレクトリ下に存在する映像データ群の配置（構成）のことを意味する。「再生制御情報」とは、統合前の映像データのディレクトリ・ファイル配置を別の情報に置き換えたもので、プログラム（ｐｒｏｇｒａｍ１，２，３）およびプレイリスト４１１−４１３（ｐｌａｙｌｉｓｔ１−３）のことを意味している。プログラム（ｐｒｏｇｒａｍ１，２，３）情報により、統合前の映像データ群がどのようなディレクトリ下に存在したかが分かり、プレイリスト（ｐｌａｙｌｉｓｔ１−３）の情報により、映像データ及びプログラム（ｐｒｏｇｒａｍ）がどのカードに存在したかが分かる。
次に、逆にメディアＢ３１２に記録されたデータを、携帯用機器のデータ形式に変換してメディアＡ３１１に書き戻す動作について説明する。まずメディアＢ３１２には上述のデータの変換、統合動作によって“Ｃａｒｄ１”、”Ｃａｒｄ２”、“Ｃａｒｄ３”のデータが記録されているものとし、その中から”Ｃａｒｄ１”のデータに相当するデータを変換してメディアＡ３１１に書き戻す場合を想定して説明を行う。
まず、機器使用者が操作キー３６１を操作して、メディアＢ３１２に記録されている据え置き機器において使用されるデータのうちｐｌａｙｌｉｓｔ１に相当する再生制御情報に関連したデータ（Ｐ００１〜Ｐ００８）を、携帯用機器で使用されるデータ形式に変換し、メディアＡ３１１に記録する指示を行うことでデータの変換が開始される。
システム制御手段３５１は操作キー３６１を介した指示に従い、データの変換処理を開始するために、先ず、Ｒ／Ｗ手段Ｂ３４１を制御してメディアＢ３１２から図２に示した管理情報ファイル２１１を読み出す。この読出し工程は図６のステップ６０１で示す。
そして管理情報ファイル２１１の内容からｐｌａｙｌｉｓｔ１に相当する再生制御情報を解釈し、ｐｌａｙｌｉｓｔ１に相当する再生制御情報と関連付けられた映像データを特定する。この工程は図６のステップ６０２で示す。このとき、この関連付けられた映像データとは図４に示す映像データファイル２２１のうちＰ００１からＰ００８までのデータである。
次にＲ／Ｗ手段Ｂ３４１はメディアＢ３１２から上記Ｐ００１からＰ００８までのデータを読み出し、ｐｌａｙｌｉｓｔ１に相当する再生制御情報を元に、所定のディレクトリ（１３１〜１３３）をメディアＡ３１１に作成して、その下にそれぞれの映像データを記録する。この映像データ記録工程は図６のステップ６０３で示す。
そして、同様にｐｌａｙｌｉｓｔ１に相当する再生制御情報から、メディアＡ３１１に記録した映像データに関連する管理情報を抽出し、携帯用機器で用いられる第１の管理情報ファイル１２１、第２の管理情報ファイル１２２の形式に変換する。この変換工程は図６のステップ６０４で示す。
そして、所定のディレクトリ（１１１）をメディアＡ３１１に作成して、その下に２つの管理情報ファイル、即ち、第１の管理情報ファイル１２１と第２の管理情報ファイル１２２を記録する。この記録工程は図６のステップ６０５で示す。
以上のような動作の結果、実施の形態１においては、据え置き機器の記録メディア上のデータを、携帯用機器の記録メディアに書き戻すことが可能である。
ここで、再生制御情報について、以下にさらに詳しく説明する。
実施の形態１における再生制御情報は、映像データ再生時に映像データファイル２２１中のある部分の読み出し開始位置情報と終了位置情報の対を再生する部分の順番に従って複数対含むもので、映像を再生する部分と順序を定義するものであり、据え置き機器のデータフォーマットにおいてプレイリスト（ｐｌａｙｌｉｓｔ）として定義され、図２に示す管理情報ファイル２１１（Ｔ００１．ＭＡＧ）内に記録されるものである。
従って図４における第１の再生制御情報４１１を再生すると、映像データファイル２２１全体の映像データの中から、まず最初に映像データファイルの統合前に携帯機器用記録メディア“Ｃａｒｄ１”上で映像データファイル１４１（Ｐ００１．ＭＯＶ）に記録されていた部分の映像データＰ００１が再生され、次は同様に映像データファイル１４２（Ｐ００２．ＭＯＶ）に記録されていた部分の映像データＰ００２が再生され、以降は映像データファイル１４８（Ｐ００８．ＭＯＶ）に記録されていた部分の映像データＰ００８まで順次再生されて終了することになる。従って、この再生制御情報４１１によってユーザーは、統合された映像データファイル２２１全体の映像データの中から映像データファイルの統合前に携帯機器用記録メディア“Ｃａｒｄ１”に記録されていた映像データ（４１１〜１４８）のみ独立して再生することができる。
また、同時に、再生制御情報４１１は据え置き機器用のデータフォーマットに従っているため、このデータフォーマットが再生可能な全ての再生機において同じ再生動作が保証されることになる。
また、本実施の形態１においては、上記の再生制御情報として統合前の“Ｃａｒｄ２”と“Ｃａｒｄ３”に記録されていた映像データを再生する再生制御情報４１２及び４１３がプレイリスト（ｐｌａｙｌｉｓｔ２，ｐｌａｙｌｉｓｔ３）として管理情報ファイル２１１（Ｔ００１．ＭＡＧ）内に記録されている。従って、ユーザーは３つのプレイリストを選択することにより、携帯機器用記録メディア“Ｃａｒｄ１”“Ｃａｒｄ２”“Ｃａｒｄ３”に記録されていた単位での再生が据え置き機器において可能となる。
さらに図４においては、携帯機器用記録メディア上のプログラム単位での境界情報もｐｒｏｇｒａｍ１〜ｐｒｏｇｒａｍ３として表示されている。即ち、本実施の形態１においては、据え置き機器用の管理情報ファイルのデータフォーマットにおいて、再生制御情報の下位概念として定義されているプログラムを、統合前の携帯用機器のデータフォーマットにおけるプログラムディレクトリ（１３１，１３２，１３３）単位に適応させている。統合前の記録メディア“Ｃｒａｄ１”に存在したＰＲＧ００１ディレクトリ１３１には映像データファイルＰ００１．ＭＯＶ１４１、Ｐ００２．ＭＯＶ１４２、Ｐ００３．ＭＯＶ１４３が含まれていたので、据え置き機器のデータフォーマットにおけるプログラム（ｐｒｏｇｒａｍ１）においても上記の３つの映像データファイルに記録されていた映像データ（Ｐ００１，Ｐ００２，Ｐ００３）から構成されるようにｐｒｏｇｒａｍ１を定義して管理情報ファイル２１１に記録する。
このようにプログラムディレクトリ（１３１，１３２，１３３）の構成情報も据え置き機器のデータフォーマットにより管理情報ファイル２１１に記録することにより、携帯機器の記録メディア単位の動作に加えて、統合前の携帯機器の記録メディア上のプログラム単位（即ち、プログラムディレクトリ単位）での動作も可能となる。
さらに据え置き機器のメディアから再び携帯用機器のメディアに書き戻す際にもプログラムディレクトリの構成情報が記録されているため、統合前と同じディレクトリファイル構成１００を実現することができる。
次に図７を用いて、上記のような動作を可能とする再生制御情報の詳細なデータフォーマットの例について説明する。
図７は本実施の形態１における据え置き機器用の記録メディア上に存在する管理情報ファイル２１１のデータフォーマットのうち、再生制御情報に関する部分だけを示したものである。
尚、管理情報ファイル２１１には以下で説明する再生制御情報のほかに、映像データファイルの再生に必要な映像ストリームの属性情報、映像データに付随する音声及びテキストデータの属性情報、再生時間、代表画面情報などの附加情報などが含まれるが、本発明の動作とは直接関係ないためそれらのデータフォーマットの表示及び動作の説明は省略する。
図７において、再生制御情報の最初の項目に再生制御情報の数が記録されている。本実施の形態１におけるこの情報は統合した記録メディアの数と同数であり、据え置き機器のユーザーには記録されているプレイリスト（ｐｌａｙｌｉｓｔ）の数として提示される。
再生制御情報の書式はプレイリストごとにテーブル形式で再生制御情報数だけ繰り返し記述されており、それぞれのテーブルの先頭アドレスは管理情報ファイル２１１のファイル先頭からのバイト数として記録されている。
次に再生制御情報４１１に相当する部分について説明する。まず最初に統合前の“Ｃａｒｄ１”に存在していたプログラム数と映像データファイル数を据え置き機器の管理情報データフォーマットにおけるプログラム数と映像セクション数として記録する。本実施の形態１においては、据え置き機器の管理情報ファイルのデータフォーマットにおける映像セクションを携帯機器用の映像データファイルに対応させている。
尚、据え置き機器の記録メディアに統合される映像データファイルは、携帯用機器の記録メディアに存在する全ての映像データファイルであってもよいし、必要なもの一部だけであってもよいものとするが、据え置き機器の管理情報ファイル中の映像セクション数と統合された携帯用機器の映像データファイル数は同じであることとする。
続いて据え置き機器の管理情報データフォーマットにおけるプログラム毎に統合前のプログラムディレクトリ名と映像データファイル数をプログラムテキスト情報とプログラム映像セクション数として記録する。また、このプログラムテキスト情報には、上記のプログラムディレクトリ名に加えて、プログラムディレクトリに含まれる映像データファイルのファイル名を記録してもよいものとする。
このように統合前のディレクトリ名や映像データファイル名を記録しておくことにより、据え置き機器のメディアから再び携帯用機器のメディアに書き戻す際に、統合前と同じプログラムディレクトリ名及び映像データファイル名を復元することができる。
次に“Ｃａｒｄ１”に存在していた映像データファイル毎に統合前の映像データファイルに対応する映像セクションの再生に必要な属性情報が記録されている領域のアドレス情報と、映像データファイル再生の開始及び終了時間情報が映像データファイル数個のテーブル形式で記述されている。ここで上記の映像セクションの再生に必要な属性情報は管理情報ファイル２１１の別の領域に記録されているものとする。
ここまでのデータで１つの再生制御情報が完結する。またこのように記述された再生制御情報は、統合前のある記録メディアに存在した映像データを順に再生する動作を記述していることになる。
以上のデータフォーマットで、統合前の記録メディア単位で再生制御情報を記録することにより、本実施の形態１における動作が可能となるものである。
尚、以上の説明は携帯用機器の記録メディア上のデータフォーマット及びディレクトリファイル構造と据え置き機器の記録メディア上のそれとが異なる場合であったが、上記の説明と同等の再生制御情報を管理情報ファイル内に記録できるものであれば、両者のデータフォーマット及びディレクトリファイル構造が同じであってもよい。
（実施の形態２）
次に図８を用いて、本発明の実施の形態２について説明する。
図８において、８１１は統合映像データファイル再生装置、８２１は統合映像データ記録メディア、８３１は携帯用映像記録機器、８４１は携帯機器用記録メディア、８５１は映像表示装置である。
実施の形態２は、実施の形態１で説明した統合方法により作成した統合映像データを再生する装置について説明する。
まず統合映像データファイル再生装置８１１は、統合映像データ記録メディア８２１に対する記録再生機能と同時に、図８に示すように携帯機器用記録メディア８４１用の挿入孔を有し、携帯機器用記録メディア８４１に対する記録再生機能も備えている。
次に携帯用映像記録機器８３１により撮影された映像データは、携帯機器用記録メディア８４１に図８で示すディレクトリファイル構成に従って携帯用機器のデータフォーマットで記録される。そして同様に作成された複数枚の携帯機器用記録メディア８４１を順次統合映像データファイル再生装置８１１に挿入して統合映像データ記録メディア８２１への記録動作を開始する。これにより、実施の形態１で説明した統合方法により、再生制御情報を含む管理情報ファイルとともに統合映像データが統合映像データ記録メディア８２１に記録される。
この統合映像データ記録メディア８２１を統合映像データファイル再生装置８１１によって再生を開始すると、実施の形態１で説明した通り、複数の携帯機器用記録メディア８４１毎のデータが統合映像データファイル再生装置８１１のデータフォーマットにおける再生制御情報であるプレイリストとして記録されているので、映像表示装置８５１には、３つのプレイリスト（ｐｌａｙｌｉｓｔ１，ｐｌａｙｌｉｓｔ２，ｐｌａｙｌｉｓｔ３）が表示される。
従ってユーザーは任意のプレイリストを選択して再生することにより、統合前の携帯機器用記録メディア８４１毎の再生を統合映像データファイル再生装置８１１において容易に行うことが可能となる。
また実施の形態１において説明した通り、統合映像データ記録メディア８２１に記録されているデータフォーマットは、統合映像データファイル再生装置８１１で記録再生するためのデータフォーマットに従っているため、このデータフォーマットが再生可能な再生装置であれば同じ再生動作が保証される。
さらに、ユーザーが映像表示装置８５１に表示されている“Ｐｌａｙｌｉｓｔ１”を選択して携帯機器用記録メディア８４１への記録動作を開始すると、統合映像データファイル再生装置８１１において実施の形態１において説明した動作に従って、統合前の“Ｃａｒｄ１”のディレクトリファイル構造及び、ディレクトリ名ファイル名を復元して携帯機器用記録メディア８４１に記録される。
このようにして作成された携帯機器用記録メディア８４１を携帯用映像記録機器８３１に挿入して再生を開始すると、統合前と同等の再生動作を行うことが可能となる。
実施の形態２における統合映像データファイル再生装置８１１は、以上の動作によって統合前の管理情報に従った映像素材の視聴や編集、さらには他のメディアへの書き出しを可能とし、従来の課題を解決するものである。
（実施の形態３）
次に本発明の実施の形態３について説明する。
すでに述べた実施の形態１においては、据え置き機器で記録されたデータが記録メディアに記録されていない状態で、携帯用機器で記録したデータを変換して、据え置き機器の記録メディアに記録する例を説明した。しかし、すでに据え置き機器で記録されたデータが、据え置き機器の記録メディアに存在し、且つ、そのデータに対し再生制御情報がすでに存在した場合に、携帯用機器で記録したデータを変換して、据え置き機器の記録メディアに記録すると、もともと存在した再生制御情報と、新たに追加される再生制御情報が管理情報ファイル２１１内に混在することになる。すると、機器使用者は、携帯用機器の記録メディアから据え置き機器の記録メディアに移動したデータを再度、携帯用機器の記録メディアに戻そうとしたとき、複数の再生制御情報のうちどの再生制御情報が携帯用機器の記録メディア上のデータに相当するものか、判別が困難になる。
そこで本実施の形態３においては、再生制御情報ごとにそれに対応するタイトル情報を管理情報ファイル２１１に規定し、さらに、もともと据え置き機器で記録されたデータに対して規定されていた再生制御情報と、携帯用機器で記録されたデータに対して規定された再生制御情報とで、異なるタイトルを付与し、その結果、両者を機器使用者が容易に判別できる構成を提案する。
図９は据え置き機器用の記録メディア上に存在する管理情報ファイル２１１のデータフォーマットのうち、再生制御情報に関する部分だけを示したものであり、図７に比べ、再生制御情報のタイトル情報を格納する領域９１１、９１２、９１３が追加された構成になっている。
ここで、Ｐｌａｙｌｉｓｔ１に相当する再生制御情報は、据え置き機器で記録されたデータに対してすでに規定されていた再生制御情報とし、Ｐｌａｙｌｉｓｔ２および３に相当する再生制御情報は、携帯用機器で記録されたデータを、すでにメディアＢ３１２に存在していたデータに統合した際に規定された再生制御情報とする。そしてこのときに、据え置き機器が再生制御情報を記録する場合、つまりＰｌａｙｌｉｓｔ１に相当する再生制御情報のタイトルにはたとえば“Ｄｉｓｋ  Ｎｏ．１”と命名し、携帯用機器で記録したデータを統合した結果、生成される再生制御情報、つまりＰｌａｙｌｉｓｔ２および３に相当する再生制御情報のタイトルはたとえば“Ｃａｒｄ  Ｎｏ．１”および“Ｃａｒｄ  Ｎｏ．２”などと据え置き機器が自己録データに対して生成する再生制御情報とは別の命名方法を採用する。このように再生制御情報の命名方法を変え、実施の形態２で説明した映像表示装置８５１での表示を再生制御情報のタイトルにすれば、機器使用者は容易に、据え置き機器で記録されたデータに対して規定されていた再生制御情報と、携帯用機器で記録されたデータに対して規定された再生制御情報を判別することが可能となり、機器使用者に対する利便性が向上する。
なお、本実施の形態３においては、再生制御情報を判別するために再生制御情報ごとにそれに対応するタイトル情報を管理情報ファイル２１１に規定する例を説明したがこれに限るものではなく、たとえば判別用のフラグビットなどを設けて判別する方法も考えられる。
また、すべての実施の形態において、携帯用機器においてデータ記録用に用いられる記録媒体を、たとえばフラッシュメモリを内蔵したメモリーカード形態の記録媒体として説明したがこれに限るものではない。同様に、据え置き機器においてデータ記録用に用いられる記録媒体を、たとえばＤＶＤ（Ｄｉｇｉｔａｌ  Ｖｅｒｓａｔｉｌｅ  Ｄｉｓｃ）−ＲＡＭディスクなどの書き換え可能なディスク形態の記録媒体として説明したがこれに限るものではない。記録媒体にかかわらず本発明が有効であることはいうまでもない。
本発明は、統合後の管理情報ファイルに前記統合前の複数の記録メディア単位のディレクトリファイル構成情報を前記統合後の管理情報ファイルのデータフォーマットにおける再生制御情報に変換して記録することにより統合前の管理情報に従った映像素材の視聴や編集、さらには他のメディアへの書き出しを可能となる。
本発明は上述した各実施形態に限定されるものではなく、特許請求の範囲に示した範囲で種々の変更および追加が可能であることは、言うまでもない。
【図１】
2004047098.tif 000003
【図２】
2004047098.tif 000004
【図３】
2004047098.tif 000005
【図４】
2004047098.tif 000006
【図５】
2004047098.tif 000007
【図６】
2004047098.tif 000008
【図７】
2004047098.tif 000009
【図８】
2004047098.tif 000010
【図９】
2004047098.tif 000011
【図１０】
2004047098.tif 000012
【手続補正書】
【提出日】平成17年6月3日(2005.6.3)
【手続補正１】
【補正対象書類名】特許請求の範囲
【補正対象項目名】全文
【補正方法】変更
【補正の内容】
【特許請求の範囲】
【請求項１】
第１の記録媒体に統合前のディレクトリファイル構成のデータフォーマットで記録された統合前の映像データファイル及びこれに関連する管理情報データファイルを、第２の記録媒体の異なるディレクトリファイル構成のデータフォーマットに変換しながら統合する映像データファイル統合装置であって、
前記統合前の管理情報ファイル及び統合前の映像データファイルを前記統合後の管理情報ファイル及び統合後の映像データファイルに変換処理する手段を備え、
前記変換処理手段は、前記統合時に、前記統合前の記録媒体単位のディレクトリファイル構成情報を、前記統合後用の管理情報ファイルのデータフォーマットにおける再生制御情報に変換して記録することを特徴とする映像データファイル統合装置。
【請求項２】
統合前のディレクトリファイル構成のデータフォーマットで記録された統合前の映像データファイル及びこれに関連する管理情報データファイルを、異なるディレクトリファイル構成のデータフォーマットに変換しながら統合する映像データファイルの統合装置であって、
前記統合前の映像データファイル及びこれに関連する管理情報ファイルを記録する統合前用の記録媒体と、
前記統合後の映像データファイル及びこれに関連する管理情報ファイルを記録する統合後用の記録媒体と、
前記統合前用の記録媒体に対するデータの読み出し及び書き込みを行う第１の読出し／書込み手段と、
前記統合後用の記録媒体に対するデータの読み出し及び書き込みを行う第２の読出し／書込み手段と、
前記統合前用の記録媒体に記録されたデータを、前記統合後用の記録媒体で使用されるデータ形式に変換、またはその逆の変換制御を行う変換制御手段と、を有し、
前記変換制御手段は、前記統合前の管理情報ファイルを前記統合後の管理情報ファイルに変換処理し、前記統合前の映像データファイルを前記統合後の映像データファイルに変換処理して、前記統合後用の記録媒体で使用されるデータ形式で前記統合後の管理情報ファイルおよび映像データファイルに統合して記録する際に、前記データ変換前のデータ群のディレクトリとファイル構成に関する情報を、前記再生制御情報に変換して、前記統合後の管理情報ファイルに追加記録することを特徴とする映像データファイル統合装置。
【請求項３】
少なくとも１つの映像データファイル及びこれらに関連する情報を含む少なくとも１つの管理情報ファイルからなるデータ群を、前記データ群単位で複数個統合して前記データ群と異なる新たな映像データファイル及び管理情報ファイルを作成する映像データファイルの統合方法であって、前記統合前の複数のデータ群は、ある決められた同一のデータフォーマット及びディレクトリファイル構成で記録されたデータ群であり、また前記統合後の管理情報ファイルには、前記統合前のデータ群のディレクトリファイル構成情報が前記統合後の管理情報ファイルのデータフォーマットにおける再生制御情報に変換して記録されていることを特徴とする映像データファイル統合方法。
【請求項４】
統合前のディレクトリファイル構成におけるデータファイルのファイル名とディレクトリ名情報の両方またはいずれか１つが、前記統合後の管理情報ファイルのデータフォーマットにおけるテキスト情報に変換されて記録されていることを特徴とする請求項３記載の映像データファイル統合方法。
【請求項５】
前記再生制御情報は、前記再生制御情報を特定するための特定情報を有し、前記統合前のデータ群のディレクトリファイル構成情報を前記統合後の管理情報ファイルのデータフォーマットにおける再生制御情報に変換する際に、前記特定情報を変化させることを特徴とする請求項３記載の映像データファイル統合方法。
【請求項６】
特定情報とは、再生制御情報に付与されるテキスト情報であることを特徴とする請求項５記載の統合映像データファイル統合方法。
【請求項７】
特定情報とは、再生制御情報に付与されるフラグ情報であることを特徴とする請求項５記載の統合映像データファイル統合方法。
【請求項８】
少なくとも１つの映像データファイル及びこれらに関連する情報を含む少なくとも１つの管理情報ファイルからなるデータ群を前記データ群単位で複数個統合して作成された前記データ群と異なる新たな映像データファイルを再生する統合映像データファイル再生装置であって、前記統合前の複数のデータ群は、ある決められた同一のデータフォーマット及びディレクトリファイル構成で記録されたデータ群であり、また前記統合後の管理情報ファイルには前記統合前のデータ群のディレクトリファイル構成情報が前記統合後の管理情報ファイルのデータフォーマットにおける再生制御情報に変換して記録されており、
前記再生制御情報を利用して前記統合後の映像データファイルを再生することを特徴とする統合映像データファイル再生装置。
【請求項９】
統合前のディレクトリファイル構成におけるデータファイルのファイル名とディレクトリ名情報の両方またはいずれか１つが、前記統合後の管理情報ファイルのデータフォーマットにおけるテキスト情報に変換されて記録されているものを再生することを特徴とする請求項８記載の統合映像データファイル再生装置。
【請求項１０】
少なくとも１つの映像データファイル及びこれらに関連する情報を含む少なくとも１つの管理情報ファイルからなるデータ群を前記データ群単位で複数個統合して作成された前記データ群と異なる新たな映像データファイルを再生する統合映像データファイル再生方法であって、前記統合前の複数のデータ群は、ある決められた同一のデータフォーマット及びディレクトリファイル構成で記録されたデータ群であり、また前記統合後の管理情報ファイルには前記統合前のデータ群のディレクトリファイル構成情報が前記統合後の管理情報ファイルのデータフォーマットにおける再生制御情報に変換して記録されており、
前記再生制御情報を利用して前記統合後の映像データファイルを再生することを特徴とする統合映像データファイル再生方法。
【請求項１１】
統合前のディレクトリファイル構成におけるデータファイルのファイル名とディレクトリ名情報の両方またはいずれか１つが、前記統合後の管理情報ファイルのデータフォーマットにおけるテキスト情報に変換されて記録されているものを再生することを特徴とする請求項１０記載の統合映像データファイル再生方法。
【手続補正２】
【補正対象書類名】明細書
【補正対象項目名】全文
【補正方法】変更
【補正の内容】
【発明の詳細な説明】
【技術分野】
【０００１】
本発明は、映像データファイルを複数統合して作成される映像データファイルの統合装置とその方法及び統合された映像データファイルの再生装置とその方法に関するものである。
【背景技術】
【０００２】
従来の映像データファイルの統合方式では、例えば、特許文献１（特開２００１−２６６５４４）に開示されているものがある。この従来例では、複数の映像データを統合して異なる記録メディアに保存する際に、変換前の映像データのシナリオ情報に基づいて統合記録する側の記録メディアにフォルダ構造を作成し、その各フォルダに変換後の映像データの任意の部分を示すリンク情報をファイルとして格納し、さらにそのリンク情報に基づいて映像データのフォーマット変換を行い記録している。
【０００３】
上記従来例では変換前の記録メディアがテープメディアであったが、ハードディスクや光ディスクなどの大容量ディスクメディアを搭載した家庭用の据え置き型映像記録機器を使用することによって、一般家庭においても容易に大容量の映像データファイルをディスクメディアに保持することが可能となった。これらの記録メディアは従来のテープメディアと比較して高速なデータアクセス性能を有するため、映像シーンの頭だしや検索機能に優れ、さらには同時記録再生などの新たな機能によってユーザーの利便性が向上し、今後ますます普及することが予想される。
【０００４】
また一方では、デジタルカメラや家庭用ムービーなどの携帯用映像記録機器の記録メディアにおいても、半導体メモリ、光ディスク、ハードディスクなどを搭載した機器が実用化されている。
【０００５】
一般に携帯用機器の記録メディアのデータ容量は、据え置き型機器の記録メディアと比較して小容量であるため、これらの携帯用機器で収録した映像素材を、家庭内の据え置き型の機器の大容量記録メディアに集約して家庭内で視聴するという利用形態が普及すると考えられる。ただし、記録機器に映像データを記録する際のデータフォーマット及びディレクトリファイル構成は、記録メディアや記録機器により異なる場合が多いため、上記のように携帯用機器から据え置き機器にデータを集約する場合は、データフォーマット及びディレクトリファイル構成を変換する必要がある。
【０００６】
そこで、上記従来の映像データファイルの統合方式の第一の改善例では、例えば、携帯用機器の映像データファイル及び管理情報ファイルが記録されているディレクトリファイル構成は、１つの管理情報ディレクトリと、複数の映像データディレクトリを備える。管理情報ディレクトリには、第１の管理情報ファイルと第２の管理情報ファイルが記録されている。
【０００７】
また、映像データディレクトリ中には、映像データファイルが、携帯機器用データフォーマットにおけるプログラムという記録メディア内の操作単位として、プログラム単位での再生・編集等をユーザーが行うことができるものである。
上記第一の改善例における据え置き機器の映像データファイル及び管理情報ファイルが記録されているディレクトリファイル構成においては、管理情報ファイルと映像データファイルの両者は据え置き機器用のデータフォーマットで記録され、管理情報と映像データがそれぞれ１つのデータファイルにまとめられ、同一のディレクトリに存在するものである。
【０００８】
従って、携帯用機器のディレクトリファイル構成で記録された映像データ及びこれに関連する管理情報データを据え置き機器用のディレクトリファイル構成に変換する場合は、携帯用機器用の複数存在する映像データファイル及び管理情報ファイルを、据え置き機器用のデータフォーマットに変換しながら、それぞれ１つに統合することになる。
【０００９】
図１０は、上記第一の改善例において、携帯機器用の複数の映像データファイル１４１〜１４８を据え置き機器用映像データファイル２２１に統合する時の概念図である。図１０においては、携帯機器用の記録メディア“Ｃａｒｄ１”上のＰ００１．ＭＯＶからＰ００８．ＭＯＶまでの８個の映像データファイルが、据え置き機器の記録メディア上の映像データファイル２２１（Ｔ００１．ＭＯＶ）に統合されている。さらに、携帯機器用の別の記録メディア“Ｃａｒｄ２”および“Ｃａｒｄ３”上の複数の映像データファイルについても、同様に据え置き機器の記録メディア上の映像データファイル２２１に連続して追記され、統合されている。
【００１０】
また、図１０においては、据え置き機器用の管理情報ファイル２１１のデータフォーマットにおいて定義されているプログラム（ｐｒｏｇｒａｍ  １〜ｐｒｏｇｒａｍ  ３）を、携帯機器用の記録メディア単位の映像データ１４１〜１４８に適応させている。このようにプログラムを定義することによって、据え置き機器において統合前の記録メディア単位での素材の視聴や編集、さらには他のメディアへの書き出しが可能となる。
【００１１】
【特許文献１】特開２００１−２６６５４４号公報
【発明の開示】
【発明が解決しようとする課題】
【００１２】
しかしながら、特許文献１に開示の従来例は、複数のテープメディアの映像データをディレクトリファイル構造を有するディスクメディアに統合する技術であり、テープメディアにシーケンシャルに記録された統合前の映像データに対してシナリオ情報に基づくランダムなアクセス方法は考慮されていない。このため、統合前後の機器において、ユーザーが同じ再生動作によって映像データを視聴することは不可能である。
【００１３】
これに対し図１０に示す第一の改善例は、統合前後の記録メディアが供にディレクトリファイル構造を有し、任意の映像データに対してランダムアクセス可能なものである。従って、統合前後の機器においてユーザーが同じ再生動作によって映像データを視聴することは可能である。
【００１４】
しかしながら、図１０に示す統合の際に、複数の携帯用機器の記録メディア（Ｃａｒｄ  １〜Ｃａｒｄ  ３）上の映像データファイルが１つの映像データファイル２２１に統合されるため、統合前の記録メディア内におけるプログラムディレクトリの構成情報（ＰＲＧ００１〜ＰＲＧ００３）が消失してしまうことになる。従ってユーザーにとっては、携帯用機器で収録した複数の記録メディアの映像素材が１つの大容量メディアにまとめられることで、メディア交換などの手間は省けるものの、収録時に意味付けられた統合前のプログラム単位での素材の視聴や編集が非常に困難になる。
【００１５】
さらに、据え置き機器のメディアから再び携帯用機器のメディアに書き戻す際にもプログラムディレクトリの構成情報が消失してしまうため、統合前と同じディレクトリファイル構成を実現することができない。
【００１６】
そこで、第二の改善例として、上記の統合により消失するプログラムディレクトリの構成情報を、独自のデータフォーマットによって別ファイルに記録して保存する方法が考えられる。これにより、大容量メディア中に統合して保存されている映像データから、統合前のプログラムディレクトリの構成情報に従って映像データを再生することが可能となる。しかしながら、この方法では、別ファイルに保存したデータのデータフォーマットが独自なものであるため、機器間の互換性において問題が生じることがあり、汎用性に欠けるといった課題があった。
【００１７】
そこで本発明は、上記従来の映像データファイルの統合方式が有する課題を解決するために成されたものであり、複数の記録メディア上の映像データおよび管理情報を別の記録メディアに統合する際に、統合後の映像データを再生する機器間の互換性において問題が生じることなく、また統合後のデータを再生する機器において統合前の管理情報に従った映像素材の視聴や編集、さらには他のメディアへの書き出しを可能とする映像データファイルの統合方式を提供することを目的とするものである。
【課題を解決するための手段】
【００１８】
上記目的を達成するために、本発明に係る映像データファイル統合装置は、第１の記録媒体に統合前のディレクトリファイル構成のデータフォーマットで記録された統合前の映像データファイル及びこれに関連する管理情報データファイルを、第２の記録媒体の異なるディレクトリファイル構成のデータフォーマットに変換しながら統合する映像データファイル統合装置であって、前記統合前の管理情報ファイル及び統合前の映像データファイルを前記統合後の管理情報ファイル及び統合後の映像データファイルに変換処理する手段を備え、前記変換処理手段は、前記統合時に、前記統合前の記録媒体単位のディレクトリファイル構成情報を、前記統合後用の管理情報ファイルのデータフォーマットにおける再生制御情報に変換して記録することを特徴とする。
【００１９】
上記構成により、管理情報ファイルおよび映像データファイルの変換、統合動作に加えて、統合前の携帯用機器の記録メディア単位のデータ構成情報が、統合時に据え置き機器用の管理情報ファイルのデータフォーマットにおける再生制御情報に変換され記録される。
【００２０】
また、本発明の映像データファイル統合方法は、複数の映像データファイル及びこれらに関連する情報を含む管理情報ファイルからなるデータ群を、前記データ群単位で複数個統合して、前記データ群と異なる新たな映像データファイル及び管理情報ファイルを作成する映像データファイルの統合方法であって、前記統合前の複数のデータ群は、ある決められた同一のデータフォーマット及びディレクトリファイル構成で記録されたデータ群であり、また前記統合後の管理情報ファイルは、前記統合前のデータ群のディレクトリファイル構成情報を、前記統合後の管理情報ファイルのデータフォーマットにおける再生制御情報に変換して記録されていることを特徴とする。
【発明の効果】
【００２１】
本発明によれば、統合後の管理情報ファイルに統合前の複数の記録メディア単位のディレクトリファイル構成情報を、統合後の管理情報ファイルのデータフォーマットにおける再生制御情報に変換して記録する構成としたことにより、統合前の管理情報に従った映像素材の視聴や編集、さらには他のメディアへの書き出しが可能となる。
【発明を実施するための最良の形態】
【００２２】
以下、添付の図面を参照して本発明の実施の形態について説明する。なお、従来例と同様な部分については簡単のために説明を省略するものとする。
【００２３】
（実施の形態１）
本実施の形態１における携帯用機器の映像データファイル及び管理情報ファイルが記録されているディレクトリファイル構成自体は従来の第一の改善例と同様であり、また、据え置き機器の映像データファイル及び管理情報ファイルが記録されているディレクトリファイル構成も従来の第一の改善例と同様である。
【００２４】
図１は、本発明の実施の形態１に係る携帯用機器の映像データファイル及び管理情報ファイルが記録されているディレクトリファイル構成１００の一例を示したものである。図１において、１１１は管理情報ファイルを記録する管理情報ディレクトリであり、１２１，１２２はそれぞれ管理情報ディレクトリ１１１中に記録された第１の管理情報ファイルと第２の管理情報ファイルであり、第１の管理情報ファイル１２１と第２の管理情報ファイル１２２とは異なる管理情報である。１３１、１３２及び１３３は映像データファイルを記録する映像データディレクトリ、１４１〜１４８は映像データディレクトリ１３１〜１３３中の映像データファイルである。ここで、第１の管理情報ファイル１２１と第２の管理情報ファイル１２２及び映像データファイル１４１〜１４８は携帯用機器のデータフォーマットで記録されている。
【００２５】
図１に示すように、携帯用機器のディレクトリファイル構成は、管理情報ファイルが記録されている１つの管理情報ディレクトリ１１１と、各々複数の映像データファイルが記録された複数の映像データディレクトリ１３１，１３２、１３３を有する。管理情報ディレクトリ１１１には、第１の管理情報ファイル１２１と第２の管理情報ファイル１２２が記録されており、第１の管理情報ファイル１２１には記録メディアのタイトルや代表画面情報など記録メディア全体に係る管理情報が記録され、一方、第２の管理情報ファイル１２２には映像データファイル１４１〜１４８の再生時間や圧縮符号化属性など映像データに関する管理情報が記録されている。
【００２６】
また、映像データディレクトリ１３１、１３２、１３３中には、映像データファイル１４１〜１４８がそれぞれの作成日付ごとに分けられて存在し、携帯機器用データフォーマットにおける記録メディア内の操作単位としてプログラム（ｐｒｏｇｒａｍ）単位での再生・編集等をユーザーが行うことができるものである。なお、図１に示すディレクトリファイル構成について、図１に記載されている以外のデータファイルやディレクトリが同時に存在してもかまわないものとする。
【００２７】
図２は、本実施の形態１における据え置き機器の映像データファイル及び管理情報ファイルが記録されているディレクトリファイル構成２００の一例を示したものである。図２において、２１１は管理情報ファイル、２２１は映像データファイルであり、両者は据え置き機器用のデータフォーマットで記録されている。図２に示す据え置き機器用のディレクトリファイル構成では、管理情報と映像データがそれぞれ１つのデータファイルにまとめられ、同一のディレクトリ２００に存在する。
【００２８】
従って、図１に示されたディレクトリファイル構成で記録された映像データ及びこれに関連する管理情報データを、図２に示すディレクトリファイル構成に変換する場合は、図１において複数存在する映像データファイル及び管理情報ファイルを、据え置き機器用のデータフォーマットに変換しながら、それぞれ１つに統合する。
【００２９】
図３は、本実施の形態１における映像データファイル統合を実現する装置の構成を説明するためのブロック図である。図３において３１１で示すメディアＡは携帯用機器においてデータ記録用に用いられる記録媒体であり、たとえばフラッシュメモリを内蔵したメモリーカード形態の記録媒体とする。これは後述する図４に示す“Ｃａｒｄ１”に相当する。
【００３０】
一方、３１２で示すメディアＢは据え置き機器においてデータ記録用に用いられる記録媒体であり、例えばＤＶＤ（Ｄｉｇｉｔａｌ  Ｖｅｒｓａｔｉｌｅ  Ｄｉｓｃ）−ＲＡＭディスクなどの書き換え可能なディスク形態の記録媒体とする。そしてメディアＡ３１１には図１に示した管理情報ファイル１２１、１２２および映像データファイル１４１〜１４８が図１に示したディレクトリ構成１００で記録されているものとする。また、メディアＢ３１２には、図２に示した管理情報ファイル２１１および映像データファイル２２１が、図２に示したディレクトリ構成２００で記録されるものとする。
【００３１】
３２１で示すＲ／Ｗ手段Ａは、メディアＡ３１１に対するデータの読み出しおよび書き込みを行う手段であり、メディアＡ３１１から読み出したデータを変換手段３３１に供給する、もしくは、変換手段３３１から供給されたデータをメディアＡ３１１に書き込む機能を有する。同様に３４１で示すＲ／Ｗ手段Ｂは、メディアＢ３１２に対するデータの読み出しおよび書き込みを行う手段であり、メディアＢ３１２から読み出したデータを変換手段３３１に供給する、もしくは、変換手段３３１から供給されたデータをメディアＢ３１２に書き込む機能を有する。
【００３２】
変換手段３３１は、携帯用機器においてメディアＡ３１１に記録された各種データを、据え置き機器で使用されるデータ形式に変換する、もしくはその逆の変換処理を行う手段であり、たとえばマイクロコンピュータとその内蔵プログラムによって、上記変換処理を実現するものとする。
【００３３】
システム制御手段３５１は、操作キー３６１を介して入力される機器使用者からの指示に応じて、Ｒ／Ｗ手段Ａ３２１、Ｒ／Ｗ手段Ｂ３４１を制御して、メディアＡ３１１、メディアＢ３１２からのデータの読み出しおよびメディアＡ３１１、メディアＢ３１２へのデータの書き込みを行なうように制御し、さらに変換手段３３１によってデータを変換する際に、携帯用機器において使用されるデータを、据え置き機器で使用されるデータ形式に変換するのか、もしくは逆に、据え置き機器において使用されるデータを、携帯用機器で使用されるデータ形式に変換するのかを、操作キー３６１の入力に基づき、変換手段３３１に指示を与える手段である。
【００３４】
操作キー３６１は、機器使用者がメディアＡ３１１もしくはメディアＢ３１２に記録されたデータの変換を希望し、且つ、データを変換する際に、携帯用機器において使用されるデータを、据え置き機器で使用されるデータ形式に変換するのか、もしくは逆に、据え置き機器において使用されるデータを、携帯用機器で使用されるデータ形式に変換するのかなどの指定を行うためのインターフェース手段であり、例えば、ボタンスイッチやタッチパネルなどの指示入力手段で構成される。
【００３５】
図４は、本実施の形態１における複数の携帯機器用映像データファイル１４１〜１４８を据え置き機器用映像データファイル２２１に統合する時の概念図であり、同時に、据え置き機器用のデータフォーマットにおける再生制御情報と映像データファイル２２１との関係について示したものである。
【００３６】
図４において、４１１、４１２、４１３は据え置き機器用のデータフォーマットにおいてプレイリスト（ｐｌａｙｌｉｓｔ）として管理情報ファイル２１１内に定義される再生制御情報である。
【００３７】
図５および図６は、本件の実施の形態１におけるデータ変換の動作を説明するためのフローチャートである。以下、本実施の形態１における動作について図１ないし図６を参照して説明する。
【００３８】
図１に示したように、メディアＡ３１１には第１の管理情報ファイル１２１、第２の管理情報ファイル１２２および複数の映像データファイル１４１〜１４８が、４つのディレクトリ１１１、１３１〜１３３の下に分散して記録されているものとし、これらのデータを変換してメディアＢ３１２に記録する場合について説明する。
【００３９】
まず、機器使用者が操作キー３６１を操作して、メディアＡ３１１に記録されている携帯用機器において使用されるデータを、据え置き機器で使用されるデータ形式に変換し、メディアＢ３１２に記録する指示を行うことでデータの変換が開始される。
【００４０】
システム制御手段３５１は操作キー３６１を介した指示に従い、データの変換処理を開始するために、先ず、Ｒ／Ｗ手段Ａ３２１を制御してメディアＡ３１１から図１に示した予め規定されたディレクトリＭＧＲ１１１から第１の管理情報ファイル１２１および第２の管理情報ファイル１２２を読み出す。この読出し工程は図５のステップ５０１で示す。
【００４１】
そして読み出した２つの管理情報ファイル１２１，１２２を、据え置き機器で用いられる管理情報ファイル２１１の形式に変換する。この変換工程は図５のステップ５０２で示す。
【００４２】
さらに、データ変換前のデータ群のディレクトリとファイル構成に関する情報を、図４の４１１で示すｐｌａｙｌｉｓｔ１に相当する再生制御情報に変換して、管理情報ファイル２１１に追加する。この追加工程は図５のステップ５０３で示す。
【００４３】
再生制御情報が追加された管理情報ファイル２１１をＲ／Ｗ手段Ｂ３４１を介してメディアＢ３１２に記録する。この書き込み工程は図５のステップ５０４で示す。以上の動作によって、メディアＡ３１１に記録されていた２つの管理情報ファイルの変換が完了する。
【００４４】
引き続き映像データファイルの変換は、まず、図５のステップ５０５で示すようにメディアＡ３１１から映像データファイル１４１〜１４８を順次読み出す。次に、これを図５のステップ５０６で示すように、据え置き機器で用いられる映像データファイル２２１の形式に統合して変換する。さらに、これを図５のステップ５０７で示すようにＲ／Ｗ手段Ｂ３４１を介してメディアＢ３１２に記録する。
【００４５】
以上のような動作の結果、図４に示すように、実施の形態１において、携帯機器の記録メディア上の複数の映像データファイルが１つに統合される。
【００４６】
さらに、メディアＡ３１１を別のメディアＡに交換し、これをたとえばメディアＡ３１３とすると、この交換後のメディアＡ３１３は図４に示す“Ｃａｒｄ２”に相当する。このメディアＡ３１３に記録されたデータを統合して、メディアＢ３１２に記録する場合は、メディアＢ３１２上にすでに存在する管理情報ファイル２１１および映像データファイル２２１をＲ／Ｗ手段Ｂ３４１を介して読み出し、変換手段３３１おいて、上記と同様の動作によってメディアＡ３１３のデータを変換して、管理情報ファイル２１１および映像データファイル２２１に統合してメディアＢ３１２に記録する。この際、データ変換前のデータ群のディレクトリとファイル構成に関する情報を、今度は図４の４１２で示す第２のプレイリスト（ｐｌａｙｌｉｓｔ２）に相当する再生制御情報に変換して、管理情報ファイル２１１に追加する。
【００４７】
同様にまた別のメディアＡ（図１の”Ｃａｒｄ３”に相当）のデータをメディアＢ３１２に変換、統合する場合は、図４の４１３で示す第３のプレイリスト（ｐｌａｙｌｉｓｔ３）に相当する再生制御情報に変換して、管理情報ファイル２１１に追加するというように、メディアＡが交換されるたびに、別の再生制御情報を管理情報ファイル２１１に追加記録する。
【００４８】
このように実施の形態１においては、管理情報ファイルおよび映像データファイルの変換、統合動作に加えて、統合前の携帯用機器の記録メディア単位のデータ構成情報が、統合時に据え置き機器用の管理情報ファイルのデータフォーマットにおける再生制御情報４１１、４１２及び４１３に変換され記録される。
【００４９】
上記説明において、統合して記録する際に、「データ変換前のデータ群のディレクトリとファイル構成に関する情報」とは、図１に示す  ＭＧＲ，  ＰＲＧ００１，  ．．．，  ＰＲＧ００３  のことで、携帯用機器のデータファイルフォーマットで記録された  ＰＲＧ００１．．．ＰＲＧ００３  等のディレクトリ構成と、そのディレクトリ下に存在する映像データ群の配置（構成）のことを意味する。「再生制御情報」とは、統合前の映像データのディレクトリ・ファイル配置を別の情報に置き換えたもので、プログラム（ｐｒｏｇｒａｍ１，２，３）およびプレイリスト４１１−４１３（ｐｌａｙｌｉｓｔ１−３）のことを意味している。プログラム（ｐｒｏｇｒａｍ１，２，３）情報により、統合前の映像データ群がどのようなディレクトリ下に存在したかが分かり、プレイリスト（ｐｌａｙｌｉｓｔ１−３）の情報により、映像データ及びプログラム（ｐｒｏｇｒａｍ）がどのカードに存在したかが分かる。
【００５０】
次に、逆にメディアＢ３１２に記録されたデータを、携帯用機器のデータ形式に変換してメディアＡ３１１に書き戻す動作について説明する。まずメディアＢ３１２には上述のデータの変換、統合動作によって“Ｃａｒｄ１”、”Ｃａｒｄ２”、“Ｃａｒｄ３”のデータが記録されているものとし、その中から”Ｃａｒｄ１”のデータに相当するデータを変換してメディアＡ３１１に書き戻す場合を想定して説明を行う。
【００５１】
まず、機器使用者が操作キー３６１を操作して、メディアＢ３１２に記録されている据え置き機器において使用されるデータのうちｐｌａｙｌｉｓｔ１に相当する再生制御情報に関連したデータ（Ｐ００１〜Ｐ００８）を、携帯用機器で使用されるデータ形式に変換し、メディアＡ３１１に記録する指示を行うことでデータの変換が開始される。
【００５２】
システム制御手段３５１は操作キー３６１を介した指示に従い、データの変換処理を開始するために、先ず、Ｒ／Ｗ手段Ｂ３４１を制御してメディアＢ３１２から図２に示した管理情報ファイル２１１を読み出す。この読出し工程は図６のステップ６０１で示す。
【００５３】
そして管理情報ファイル２１１の内容からｐｌａｙｌｉｓｔ１に相当する再生制御情報を解釈し、ｐｌａｙｌｉｓｔ１に相当する再生制御情報と関連付けられた映像データを特定する。この工程は図６のステップ６０２で示す。このとき、この関連付けられた映像データとは図４に示す映像データファイル２２１のうちＰ００１からＰ００８までのデータである。
【００５４】
次にＲ／Ｗ手段Ｂ３４１はメディアＢ３１２から上記Ｐ００１からＰ００８までのデータを読み出し、ｐｌａｙｌｉｓｔ１に相当する再生制御情報を元に、所定のディレクトリ（１３１〜１３３）をメディアＡ３１１に作成して、その下にそれぞれの映像データを記録する。この映像データ記録工程は図６のステップ６０３で示す。
【００５５】
そして、同様にｐｌａｙｌｉｓｔ１に相当する再生制御情報から、メディアＡ３１１に記録した映像データに関連する管理情報を抽出し、携帯用機器で用いられる第１の管理情報ファイル１２１、第２の管理情報ファイル１２２の形式に変換する。この変換工程は図６のステップ６０４で示す。
【００５６】
そして、所定のディレクトリ（１１１）をメディアＡ３１１に作成して、その下に２つの管理情報ファイル、即ち、第１の管理情報ファイル１２１と第２の管理情報ファイル１２２を記録する。この記録工程は図６のステップ６０５で示す。
【００５７】
以上のような動作の結果、実施の形態１においては、据え置き機器の記録メディア上のデータを、携帯用機器の記録メディアに書き戻すことが可能である。
【００５８】
ここで、再生制御情報について、以下にさらに詳しく説明する。
実施の形態１における再生制御情報は、映像データ再生時に映像データファイル２２１中のある部分の読み出し開始位置情報と終了位置情報の対を再生する部分の順番に従って複数対含むもので、映像を再生する部分と順序を定義するものであり、据え置き機器のデータフォーマットにおいてプレイリスト（ｐｌａｙｌｉｓｔ）として定義され、図２に示す管理情報ファイル２１１（Ｔ００１．ＭＡＧ）内に記録されるものである。
【００５９】
従って図４における第１の再生制御情報４１１を再生すると、映像データファイル２２１全体の映像データの中から、まず最初に映像データファイルの統合前に携帯機器用記録メディア“Ｃａｒｄ１”上で映像データファイル１４１（Ｐ００１．ＭＯＶ）に記録されていた部分の映像データＰ００１が再生され、次は同様に映像データファイル１４２（Ｐ００２．ＭＯＶ）に記録されていた部分の映像データＰ００２が再生され、以降は映像データファイル１４８（Ｐ００８．ＭＯＶ）に記録されていた部分の映像データＰ００８まで順次再生されて終了することになる。従って、この再生制御情報４１１によってユーザーは、統合された映像データファイル２２１全体の映像データの中から映像データファイルの統合前に携帯機器用記録メディア“Ｃａｒｄ１”に記録されていた映像データ（４１１〜１４８）のみ独立して再生することができる。
【００６０】
また、同時に、再生制御情報４１１は据え置き機器用のデータフォーマットに従っているため、このデータフォーマットが再生可能な全ての再生機において同じ再生動作が保証されることになる。
【００６１】
また、本実施の形態１においては、上記の再生制御情報として統合前の“Ｃａｒｄ２”と“Ｃａｒｄ３”に記録されていた映像データを再生する再生制御情報４１２及び４１３がプレイリスト（ｐｌａｙｌｉｓｔ２，  ｐｌａｙｌｉｓｔ３）として管理情報ファイル２１１（Ｔ００１．ＭＡＧ）内に記録されている。従って、ユーザーは３つのプレイリストを選択することにより、携帯機器用記録メディア“Ｃａｒｄ１”“Ｃａｒｄ２”“Ｃａｒｄ３”に記録されていた単位での再生が据え置き機器において可能となる。
【００６２】
さらに図４においては、携帯機器用記録メディア上のプログラム単位での境界情報もｐｒｏｇｒａｍ１〜ｐｒｏｇｒａｍ３として表示されている。即ち、本実施の形態１においては、据え置き機器用の管理情報ファイルのデータフォーマットにおいて、再生制御情報の下位概念として定義されているプログラムを、統合前の携帯用機器のデータフォーマットにおけるプログラムディレクトリ（１３１，１３２，１３３）単位に適応させている。統合前の記録メディア“Ｃｒａｄ１”に存在したＰＲＧ００１ディレクトリ１３１には映像データファイルＰ００１．ＭＯＶ１４１、Ｐ００２．ＭＯＶ１４２、Ｐ００３．ＭＯＶ１４３が含まれていたので、据え置き機器のデータフォーマットにおけるプログラム（ｐｒｏｇｒａｍ１）においても上記の３つの映像データファイルに記録されていた映像データ（Ｐ００１，  Ｐ００２，  Ｐ００３）から構成されるようにｐｒｏｇｒａｍ１を定義して管理情報ファイル２１１に記録する。
【００６３】
このようにプログラムディレクトリ（１３１，１３２，１３３）の構成情報も据え置き機器のデータフォーマットにより管理情報ファイル２１１に記録することにより、携帯機器の記録メディア単位の動作に加えて、統合前の携帯機器の記録メディア上のプログラム単位（即ち、プログラムディレクトリ単位）での動作も可能となる。
【００６４】
さらに据え置き機器のメディアから再び携帯用機器のメディアに書き戻す際にもプログラムディレクトリの構成情報が記録されているため、統合前と同じディレクトリファイル構成１００を実現することができる。
【００６５】
次に図７を用いて、上記のような動作を可能とする再生制御情報の詳細なデータフォーマットの例について説明する。図７は本実施の形態１における据え置き機器用の記録メディア上に存在する管理情報ファイル２１１のデータフォーマットのうち、再生制御情報に関する部分だけを示したものである。
【００６６】
尚、管理情報ファイル２１１には以下で説明する再生制御情報のほかに、映像データファイルの再生に必要な映像ストリームの属性情報、映像データに付随する音声及びテキストデータの属性情報、再生時間、代表画面情報などの附加情報などが含まれるが、本発明の動作とは直接関係ないためそれらのデータフォーマットの表示及び動作の説明は省略する。
【００６７】
図７において、再生制御情報の最初の項目に再生制御情報の数が記録されている。本実施の形態１におけるこの情報は統合した記録メディアの数と同数であり、据え置き機器のユーザーには記録されているプレイリスト（ｐｌａｙｌｉｓｔ）の数として提示される。
【００６８】
再生制御情報の書式はプレイリストごとにテーブル形式で再生制御情報数だけ繰り返し記述されており、それぞれのテーブルの先頭アドレスは管理情報ファイル２１１のファイル先頭からのバイト数として記録されている。
【００６９】
次に再生制御情報４１１に相当する部分について説明する。まず最初に統合前の“Ｃａｒｄ１”に存在していたプログラム数と映像データファイル数を据え置き機器の管理情報データフォーマットにおけるプログラム数と映像セクション数として記録する。本実施の形態１においては、据え置き機器の管理情報ファイルのデータフォーマットにおける映像セクションを携帯機器用の映像データファイルに対応させている。
【００７０】
尚、据え置き機器の記録メディアに統合される映像データファイルは、携帯用機器の記録メディアに存在する全ての映像データファイルであってもよいし、必要なもの一部だけであってもよいものとするが、据え置き機器の管理情報ファイル中の映像セクション数と統合された携帯用機器の映像データファイル数は同じであることとする。
【００７１】
続いて据え置き機器の管理情報データフォーマットにおけるプログラム毎に統合前のプログラムディレクトリ名と映像データファイル数をプログラムテキスト情報とプログラム映像セクション数として記録する。また、このプログラムテキスト情報には、上記のプログラムディレクトリ名に加えて、プログラムディレクトリに含まれる映像データファイルのファイル名を記録してもよいものとする。
【００７２】
このように統合前のディレクトリ名や映像データファイル名を記録しておくことにより、据え置き機器のメディアから再び携帯用機器のメディアに書き戻す際に、統合前と同じプログラムディレクトリ名及び映像データファイル名を復元することができる。
【００７３】
次に“Ｃａｒｄ１”に存在していた映像データファイル毎に統合前の映像データファイルに対応する映像セクションの再生に必要な属性情報が記録されている領域のアドレス情報と、映像データファイル再生の開始及び終了時間情報が映像データファイル数個のテーブル形式で記述されている。ここで上記の映像セクションの再生に必要な属性情報は管理情報ファイル２１１の別の領域に記録されているものとする。
【００７４】
ここまでのデータで１つの再生制御情報が完結する。またこのように記述された再生制御情報は、統合前のある記録メディアに存在した映像データを順に再生する動作を記述していることになる。
【００７５】
以上のデータフォーマットで、統合前の記録メディア単位で再生制御情報を記録することにより、本実施の形態１における動作が可能となるものである。
【００７６】
尚、以上の説明は携帯用機器の記録メディア上のデータフォーマット及びディレクトリファイル構造と据え置き機器の記録メディア上のそれとが異なる場合であったが、上記の説明と同等の再生制御情報を管理情報ファイル内に記録できるものであれば、両者のデータフォーマット及びディレクトリファイル構造が同じであってもよい。
【００７７】
（実施の形態２）
次に図８を用いて、本発明の実施の形態２について説明する。
図８において、８１１は統合映像データファイル再生装置、８２１は統合映像データ記録メディア、８３１は携帯用映像記録機器、８４１は携帯機器用記録メディア、８５１は映像表示装置である。
【００７８】
実施の形態２は、実施の形態１で説明した統合方法により作成した統合映像データを再生する装置について説明する。
【００７９】
まず統合映像データファイル再生装置８１１は、統合映像データ記録メディア８２１に対する記録再生機能と同時に、図８に示すように携帯機器用記録メディア８４１用の挿入孔を有し、携帯機器用記録メディア８４１に対する記録再生機能も備えている。
【００８０】
次に携帯用映像記録機器８３１により撮影された映像データは、携帯機器用記録メディア８４１に図８で示すディレクトリファイル構成に従って携帯用機器のデータフォーマットで記録される。そして同様に作成された複数枚の携帯機器用記録メディア８４１を順次統合映像データファイル再生装置８１１に挿入して統合映像データ記録メディア８２１への記録動作を開始する。これにより、実施の形態１で説明した統合方法により、再生制御情報を含む管理情報ファイルとともに統合映像データが統合映像データ記録メディア８２１に記録される。
【００８１】
この統合映像データ記録メディア８２１を統合映像データファイル再生装置８１１によって再生を開始すると、実施の形態１で説明した通り、複数の携帯機器用記録メディア８４１毎のデータが統合映像データファイル再生装置８１１のデータフォーマットにおける再生制御情報であるプレイリストとして記録されているので、映像表示装置８５１には、３つのプレイリスト（ｐｌａｙｌｉｓｔ１，  ｐｌａｙｌｉｓｔ２，  ｐｌａｙｌｉｓｔ３）が表示される。
【００８２】
従ってユーザーは任意のプレイリストを選択して再生することにより、統合前の携帯機器用記録メディア８４１毎の再生を統合映像データファイル再生装置８１１において容易に行うことが可能となる。
【００８３】
また実施の形態１において説明した通り、統合映像データ記録メディア８２１に記録されているデータフォーマットは、統合映像データファイル再生装置８１１で記録再生するためのデータフォーマットに従っているため、このデータフォーマットが再生可能な再生装置であれば同じ再生動作が保証される。
【００８４】
さらに、ユーザーが映像表示装置８５１に表示されている“Ｐｌａｙｌｉｓｔ１”を選択して携帯機器用記録メディア８４１への記録動作を開始すると、統合映像データファイル再生装置８１１において実施の形態１において説明した動作に従って、統合前の“Ｃａｒｄ１”のディレクトリファイル構造及び、ディレクトリ名ファイル名を復元して携帯機器用記録メディア８４１に記録される。
【００８５】
このようにして作成された携帯機器用記録メディア８４１を携帯用映像記録機器８３１に挿入して再生を開始すると、統合前と同等の再生動作を行うことが可能となる。
【００８６】
実施の形態２における統合映像データファイル再生装置８１１は、以上の動作によって統合前の管理情報に従った映像素材の視聴や編集、さらには他のメディアへの書き出しを可能とし、従来の課題を解決するものである。
【００８７】
（実施の形態３）
次に本発明の実施の形態３について説明する。
すでに述べた実施の形態１においては、据え置き機器で記録されたデータが記録メディアに記録されていない状態で、携帯用機器で記録したデータを変換して、据え置き機器の記録メディアに記録する例を説明した。しかし、すでに据え置き機器で記録されたデータが、据え置き機器の記録メディアに存在し、且つ、そのデータに対し再生制御情報がすでに存在した場合に、携帯用機器で記録したデータを変換して、据え置き機器の記録メディアに記録すると、もともと存在した再生制御情報と、新たに追加される再生制御情報が管理情報ファイル２１１内に混在することになる。すると、機器使用者は、携帯用機器の記録メディアから据え置き機器の記録メディアに移動したデータを再度、携帯用機器の記録メディアに戻そうとしたとき、複数の再生制御情報のうちどの再生制御情報が携帯用機器の記録メディア上のデータに相当するものか、判別が困難になる。
【００８８】
そこで本実施の形態３においては、再生制御情報ごとにそれに対応するタイトル情報を管理情報ファイル２１１に規定し、さらに、もともと据え置き機器で記録されたデータに対して規定されていた再生制御情報と、携帯用機器で記録されたデータに対して規定された再生制御情報とで、異なるタイトルを付与し、その結果、両者を機器使用者が容易に判別できる構成を提案する。
【００８９】
図９は据え置き機器用の記録メディア上に存在する管理情報ファイル２１１のデータフォーマットのうち、再生制御情報に関する部分だけを示したものであり、図７に比べ、再生制御情報のタイトル情報を格納する領域９１１、９１２、９１３が追加された構成になっている。
【００９０】
ここで、Ｐｌａｙｌｉｓｔ１に相当する再生制御情報は、据え置き機器で記録されたデータに対してすでに規定されていた再生制御情報とし、Ｐｌａｙｌｉｓｔ２および３に相当する再生制御情報は、携帯用機器で記録されたデータを、すでにメディアＢ３１２に存在していたデータに統合した際に規定された再生制御情報とする。そしてこのときに、据え置き機器が再生制御情報を記録する場合、つまりＰｌａｙｌｉｓｔ１に相当する再生制御情報のタイトルにはたとえば“Ｄｉｓｋ  Ｎｏ．１”と命名し、携帯用機器で記録したデータを統合した結果、生成される再生制御情報、つまりＰｌａｙｌｉｓｔ２および３に相当する再生制御情報のタイトルはたとえば“Ｃａｒｄ  Ｎｏ．１”および“Ｃａｒｄ  Ｎｏ．２”などと据え置き機器が自己録データに対して生成する再生制御情報とは別の命名方法を採用する。
【００９１】
このように再生制御情報の命名方法を変え、実施の形態２で説明した映像表示装置８５１での表示を再生制御情報のタイトルにすれば、機器使用者は容易に、据え置き機器で記録されたデータに対して規定されていた再生制御情報と、携帯用機器で記録されたデータに対して規定された再生制御情報を判別することが可能となり、機器使用者に対する利便性が向上する。
【００９２】
なお、本実施の形態３においては、再生制御情報を判別するために再生制御情報ごとにそれに対応するタイトル情報を管理情報ファイル２１１に規定する例を説明したがこれに限るものではなく、たとえば判別用のフラグビットなどを設けて判別する方法も考えられる。
【００９３】
また、すべての実施の形態において、携帯用機器においてデータ記録用に用いられる記録媒体を、たとえばフラッシュメモリを内蔵したメモリーカード形態の記録媒体として説明したがこれに限るものではない。同様に、据え置き機器においてデータ記録用に用いられる記録媒体を、たとえばＤＶＤ（Ｄｉｇｉｔａｌ  Ｖｅｒｓａｔｉｌｅ  Ｄｉｓｃ）−ＲＡＭディスクなどの書き換え可能なディスク形態の記録媒体として説明したがこれに限るものではない。記録媒体にかかわらず本発明が有効であることはいうまでもない。
【００９４】
本発明は、統合後の管理情報ファイルに前記統合前の複数の記録メディア単位のディレクトリファイル構成情報を前記統合後の管理情報ファイルのデータフォーマットにおける再生制御情報に変換して記録することにより統合前の管理情報に従った映像素材の視聴や編集、さらには他のメディアへの書き出しが可能となる。
【００９５】
本発明は上述した各実施形態に限定されるものではなく、特許請求の範囲に示した範囲で種々の変更および追加が可能であることは、言うまでもない。
【図面の簡単な説明】
【００９６】
【図１】本発明の実施の形態１に係る携帯用機器の映像データファイル及び管理情報ファイルのディレクトリファイル構成の一例を示す図である。
【図２】本発明の実施の形態１に係る据え置き機器の映像データファイル及び管理情報ファイルのディレクトリファイル構成の一例を示す図である。
【図３】本発明の実施の形態１に係る統合映像データファイル統合装置のブロック図である。
【図４】本発明の実施の形態１に係る携帯用機器の映像データファイルを据え置き機器の映像データファイルに変換する場合の概念図である。
【図５】本発明の実施の形態１に係る携帯用機器の映像データファイルを据え置き機器の映像データファイルに変換する場合のフローチャートである。
【図６】本発明の実施の形態１に係る据え置き機器の映像データファイルを携帯用機器の映像データファイルに変換する場合のフローチャートである。
【図７】本発明の実施の形態１に係る据え置き機器における再生制御情報のデータ項目及びデータの一例を示す図である。
【図８】本発明の実施の形態２に係る統合映像データファイル再生装置と周辺装置の関連を示す図である。
【図９】本発明の実施の形態３に係る据え置き機器における再生制御情報のデータ項目及びデータの一例を示す図である。
【図１０】従来の改善例における携帯用機器の映像データファイルを据え置き機器の映像データファイルに変換する場合の概念図である。
【符号の説明】
【００９７】
１００，２００  ディレクトリファイル構成
１２１，１２２  管理情報データファイル
１４１〜１４８，２２１  映像データファイル
２１１  管理情報ファイル
３１１，３１２  記録媒体
３２１，３４１  読み出し／書き込み手段
３３１，３５１  変換処理手段
【手続補正３】
【補正対象書類名】図面
【補正対象項目名】全図
【補正方法】変更
【補正の内容】
【図１】
2004047098.tif 000013
【図２】
2004047098.tif 000014
【図３】
2004047098.tif 000015
【図４】
2004047098.tif 000016
【図５】
2004047098.tif 000017
【図６】
2004047098.tif 000018
【図７】
2004047098.tif 000019
【図８】
2004047098.tif 000020
【図９】
2004047098.tif 000021
【図１０】
2004047098.tif 000022
【国際調査報告】
2004047098.tif 000023
2004047098.tif 000024
2004047098.tif 000025
2004047098.tif 000026